(57)【特許請求の範囲】
【請求項１】
金額情報を更新して、複数回使用することのできるプリペイドカードの情報処理システムにおいて、
金銭を投入して前記プリペイドカードの金額情報を更新する毎に、更新回数に応じて定められたプレミアム額を投入金額に加算した更新金額情報と、プレミアム額情報とを前記プリペイドカードに記録する入金手段と、
プリペイドカードの更新回数とプレミアム額との対応関係に基づくプレミアム条件を記憶すると共に、前記入金手段において金額更新対象となるプリペイドカードの更新回数の情報および、前記プレミアム条件よりプレミアム額を決定し、前記プレミアム額をさらに加算した更新金額情報と、プレミアム額情報とを前記プリペイドカードに記録するよう前記入金手段に指示する情報管理手段と、
有料サービスの対価を相殺した金額に前記プリペイドカード内の前記金額情報を更新すると共に、前記プリペイドカード内のプレミアム額情報で示される使用可能なプレミアム額を有料サービスの対価から減算した金額を、決済を行うセンタへ通知する読書手段と
を備えたことを特徴とするプリペードカードの情報処理システム。
【請求項２】
金銭とプリペイドカードを投入して金額情報の更新記録を行う入金機からの情報に基づき、更新すべき金額情報の記録を実行するように前記入金機に指示する情報管理装置において、
前記プリペイドカードの更新回数とプレミアム額との対応関係に基づくプレミアム条件を予め記憶した記憶手段と、
前記入金機において金額更新対象となるプリペイドカードの更新回数の情報および前記プレミアム条件に基づいてプレミアム額を決定する手段と、
前記プレミアム額をさらに加算した更新金額情報と、プレミアム額情報とを前記プリペイドカードに記録するように前記入金機に指示する手段と、
前記プリペイドカード内のプレミアム額情報で示される使用可能なプレミアム額を有料サービスの対価から減算した金額を、決済を行うセンタへ通知する手段と
を備えたことを特徴とする情報管理装置。
【請求項３】
金額情報が記録されたプリペイドカードから情報内容を読み書きして、記録された金額情報から有料サービスの対価を相殺し、プリペイドカードの金額情報の更新を行う読書装置において、
前記プリペイドカードから金額情報と、プレミアム額情報とを読み取る手段と、
有料サービスの対価を相殺した金額に前記プリペイドカード内の前記金額情報を更新する手段と、
前記プリペイドカード内のプレミアム額情報で示される使用可能なプレミアム額を有料サービスの対価から減算した金額を、決済を行うセンタへ通知する手段と
を備えたことを特徴とする読書装置。
【発明の詳細な説明】
【０００１】
【発明の属する技術分野】
本発明は、プリペードカードにおけるカード媒体の記憶容量を有効に利用し、この記憶容量に付帯機能を付加したプリペイドカードの情報処理システムに関する。
【０００２】
【従来の技術】
プリペードカードとしては磁気カードが主流であったが、これらの磁気カードは一般には使い捨てで使用されている。ところが、近年、カード媒体のコスト低減や資源の節約などのために、繰り返し利用することのできる、ＩＣカードなど記憶容量の大きいカード媒体が使用されはじめている。利用者は、このようなＩＣカードなどを用いて金額情報を再チャージすれば、カードを再利用することができるので、電子マネー的な利用方法として注目されている。さらに、ＩＣカードは磁気カードなどに比べて記憶容量が大きいので、金額情報だけでなく、ＩＣカードを所持する利用者を特定するＩＤ情報やその他様々な情報を記録することができるので、セキュリティ上においても使い勝手の面においても、極めて有用なカード媒体として利用することができる。
【０００３】
【発明が解決しようとする課題】
しかしながら、このようなＩＣカードなどは、カード媒体のコストが磁気カードなどに比べて比較的高いため、カード媒体に金額情報を更新して再記録しながら繰り返し使わなければ、プリペイドカードとしてコスト的にも資源節約的にもメリットはない。例えば、ＩＣカードのカード媒体のコストが磁気カードに比べて５倍であれば、少なくとも６回以上再利用しなければコスト的メリットはない。しかし、プリペイドカードの利用者は、磁気カードとＩＣカードの区別を知る必要がなく、通常は、プリペイドカードとしての感覚から、使い切ったら価値のないものとして破棄する習慣がある。このため、再利用可能なＩＣカードであっても、使い棄てられるおそれも多々あり、必ずしも、カード媒体のコスト低減や資源の節約につなげることはできない。
【０００４】
本発明はこのような事情に鑑みてなされたものであり、その目的は、ＩＣカードなどの情報記録カードの記憶容量を有効に利用して、利用者にカードの再利用を誘導させるような情報をこの情報記録カードに記録し、再利用回数を可能な限り増やすことにより、カード媒体の見かけ上のコストを低減させたプリペイドカードを提供することにある。
【０００５】
【課題を解決するための手段】
上記目的を達成するために、本発明は、プリペードカードとして用いられる情報記録カード、例えばＩＣカードの残高がゼロになったり少なくなったとき、このＩＣカードと現金を入金機に投入すると、所定の金額情報が再チャージされると共に、プレミアムが付加されたＩＣカードが排出されるように構成したことを特徴とする。あるいは、再利用回数や入金額が多いプリペイドカードを使用した場合には、景品などのサービスが得られる当たり確率を高くしたり、または、未使用や使用途中のＩＣカードの換金ができるようにしたり、割引価格でプリペイドカードを購入することができるように構成したことを特徴とする。すなわち、ＩＣカード内の余った記憶容量を有効に利用して、このような様々な付帯機能をＩＣカードに付加することにより、ＩＣカード所持者に対して、金額情報がゼロになったＩＣカードと現金を再び入金機に挿入させるように誘導することができ、ＩＣカードの再利用を促進させることができる。
【０００６】
すなわち、本発明に係るプリペイドカードの情報処理システムは、金額情報を更新して、複数回使用することのできるシステムであって、金銭を投入してプリペイドカードの金額情報を更新する毎に、更新回数に応じて定められたプレミアム額を投入金額に加算した更新金額情報と、プレミアム額情報とをプリペイドカードに記録する入金手段と、プリペイドカードの更新回数とプレミアム額との対応関係に基づくプレミアム条件を記憶すると共に、前記入金手段において金額更新対象となるプリペイドカードの更新回数の情報およびプレミアム条件よりプレミアム額を決定し、プレミアム額をさらに加算した更新金額情報と、プレミアム額情報とを前記プリペイドカードに記録するよう入金手段に指示する情報管理手段と、有料サービスの対価を相殺した金額に前記プリペイドカード内の前記金額情報を更新すると共に、前記プリペイドカード内のプレミアム額情報で示される使用可能なプレミアム額を有料サービスの対価から減算した金額を、決済を行うセンタへ通知する読書手段とを備える。
このシステムにおいて、読書手段により金額情報が更新されたプリペイドカードと金銭とを入金手段に投入すると、情報管理手段からの指示情報により、入金手段が、更新回数に応じたプレミアム額と投入金額とを加算した更新金額情報を記録したプリペイドカードを排出する。なお、サービスの提供や、物品の販売は、金額情報が記録されたプリペイドカードから情報内容を読み書きして、記録された金額情報から有料サービスの対価を相殺して金額情報の更新を行う読書手段により行われる。
【０００９】
また、本発明は、金銭とプリペイドカードを投入して金額情報の更新記録を行う入金機からの情報に基づき、更新すべき金額情報の記録を実行するように前記入金機に指示する情報管理装置であって、前記プリペイドカードの更新回数とプレミアム額との対応関係に基づくプレミアム条件を予め記憶した記憶手段と、前記入金機において金額更新対象となるプリペイドカードの更新回数の情報および前記プレミアム条件に基づいてプレミアム額を決定する手段と、前記プレミアム額をさらに加算した更新金額情報と、プレミアム額情報とを前記プリペイドカードに記録するように前記入金機に指示する手段と、前記プリペイドカード内のプレミアム額情報で示される使用可能なプレミアム額を有料サービスの対価から減算した金額を、決済を行うセンタへ通知する手段とを備える。
【００１０】
また、本発明は、金額情報が記録されたプリペイドカードから情報内容を読み書きして、記録された金額情報から有料サービスの対価を相殺し、プリペイドカードの金額情報の更新を行う読書装置であって、前記プリペイドカードから金額情報と、プレミアム額情報とを読み取る手段と、有料サービスの対価を相殺した金額に前記プリペイドカード内の前記金額情報を更新する手段と、前記プリペイドカード内のプレミアム額情報で示される使用可能なプレミアム額を有料サービスの対価から減算した金額を、決済を行うセンタへ通知する手段とを備える。
ここで、「サービス」とは、通常の意味のサービスのほか、物品の販売、遊具の貸し出しをも含む。
【００１１】
【発明の実施の形態】
以下、図面を用いて、本発明の実施の形態を詳細に説明する。尚、以下の説明では、プリペードカードとして用いられる情報記録カードとして、ＩＣカードを用いて説明する。図１は、本発明の実施の形態に適用されるＩＣカードの処理システムの構成図である。このＩＣカードの処理システムは、例えば、サービス提供施設などに設置され、ＩＣカードを利用して、商品の販売（以下、物販と云う）や有料サービスの提供（以下、サービス提供と云う）あるいは遊具の貸し出し（以下、遊具貸しと云う）などを行う。尚、サービス提供施設とは、デパート、スーパー、小売店、飲食店あるいはゲームセンターなどの遊興施設など、大衆に有料サービス（以下、サービスと云う）を提供する施設である。
【００１２】
図１において、ＩＣカードの処理システムは、情報の中枢部である中継装置１に、少なくとも、カード発券機２と、カードの情報を読み書きする読書装置３と、カード及び現金を挿入する入金機４とが接続されている。中継装置１は、ＩＣカードの金額情報をサービス施設毎に決済したり、ＩＣカードの利用回数などに応じてプレミアムを付加するなどの付帯情報を格納しており、各装置にプレミアムの実行を指示するなど、情報の総合管理を行う機能を備えている。また、カード発券機２は、サービス提供施設を利用する一般の利用者（以下、非会員と云う）に、金額情報などの記録されたＩＣカードを有料発行する装置である。尚、予め登録してある利用者（以下、会員と云う）は、金額情報などの記録されたＩＣカードを予め所持している。
【００１３】
さらに、読書装置３は、ＩＣカードを挿入することにより所望の物販、サービス提供あるいは遊具貸しを行うと共に、対価に相当する金額情報をＩＣカードから相殺して、残高の金額情報をＩＣカードに記録する装置である。そして、入金機４は、残高がゼロまたは少なくなったＩＣカードと所定の現金を投入すると、更新した金額情報をＩＣカードに記録すると共に、中継装置１からの指示またはカード入金機４自身の判断で、ＩＣカードの利用回数などに応じて、ＩＣカードにプレミアムなどの情報を付加する機能などを備えた装置である。尚、図示しないが、中継装置１は、カード発行会社であるセンタに接続されており、このセンタが、チェーン店間の全ての中継装置１を通して金額情報を決済することができるように構成されている。
【００１４】
次に、このような構成のＩＣカードの処理システムの動作について、幾つかの実施の形態を説明する。尚、以下に述べる実施の形態では、サービス提供施設をゲームセンターなどの遊興施設を例に挙げて説明する。先ず、第１の実施の形態は、ＩＣカードの再利用回数に応じてプレミアム額を付けるシステムである。図１において、会員／非会員が、残高が少なくなったりゼロになったＩＣカードと所定の現金を入金機４に投入する（以下、リチャージという）と、更新された金額情報と更新回数（以下、リチャージ回数という）が記録されたＩＣカードが排出されると共に、入金機４に更新回数が表示される。尚、リチャージ回数は必ずしも入金機４に表示しなくてもよいが、会員／非会員の再利用を促進させるために表示する方が望ましい。
【００１５】
すなわち、ＩＣカードをリチャージすると、入金機４により、リチャージ回数に応じてプレミアム額を付けた金額情報がＩＣカードに記録される。リチャージ回数ｎとプレミアム額Ｐとの関係は任意に設定できるようにしてある。例えば、図２のリチャージ回数とプレミアム額との関係の一例を示す図のように、プレミアム額をリチャージ回数に応じて順次に増額する方法と、段階的に増額する方法などがある。すなわち、同図（ａ）のように、リチャージ回数７回のときプレミアム額１００円、８回で２００円などと、リチャージ回数が増える毎に、プレミアム額を順次に増額していってもよいし、（ｂ）のように、リチャージ回数１０回でプレミアム額１００円、２０回で２００円などと、一定のリチャージ回数毎に段階的にプレミアム額を増やしていってもよい。この他、種々の方法によってリチャージ回数に対してプレミアム額を増額することもできる。
【００１６】
また、プレミアム額は、複数のサービス提供施設の中継装置１における決済情報を総合的に管理するカード発行会社（センタ）で負担する場合と、個々のサービス提供施設の中継装置１が管理してサービス提供施設毎に負担する場合とがあり、中継装置１によって、何れにするかは任意に設定することができる。図３は、プレミアム額をカード発行会社（センタ）が負担する場合の概念図である。すなわち、残高ゼロのＩＣカード５と現金１０，０００円６を入金機４に挿入すると、プレミアムがついて、１０，５００円のＩＣカード７が排出される。そして、会員／非会員は、１０，５００円のＩＣカード７を読書装置３に挿入すると、金額に相当する遊具８（ここでは、１０，５００円相当の遊具となる）が排出される。そして、読書装置３は、中継装置（図示せず）を通して、センタへ１０，５００円の金額情報の請求信号を送出する。図４は、プレミアム額をサービス提供施設が負担する場合の概念図である。この場合は、図３の場合と同様の方法により、プレミアムのついた１０，５００円のＩＣカード７を取得して、これを読書装置３に挿入すると、読書装置３は、中継装置（図示せず）を通してセンタにプレミアム額の５００円を除いた１０，０００円の請求信号を送出する。
【００１７】
また、上に述べた実施の形態の応用として、例えば、リチャージ回数がＸ回のときだけプレミアムを付けるかどうかをくじによって設定したり、リチャージ回数によってくじの当たる確率を変えたりすることもできる。すなわち、くじで当たった場合のみ、リチャージ回数が５回で５００円のプレミアム額を付けたり、リチャージ回数５回のときは当たる確率は１／１０であるが、リチャージ回数１０回のときは当たる確率は１／５にして１０００円のプレミアム額を付けるなどである。さらに、毎日リチャージ時にプレミアムを付けるかどうかを、くじによって決定することも可能である。また、同じリチャージ回数でも、リチャージ金額が多い程、プレミアムを付けるくじの当選確率を高くする方法もある。
【００１８】
次に、本発明のＩＣカードの処理システムの第２の実施の形態における動作について説明する。この実施の形態は、カードの種類やリチャージ回数あるいは入金額などによって、景品などのサービスが得られる確率（以下、発生確率と云う）を変えるようにしたシステムである。すなわち、読書装置３が、プリペイドカードのカードデータより、『会員カード』と『非会員カード』とを識別したり、リチャージ回数や入金額を読み取って、それぞれに対応する発生確率を決定してこれを実行する。例えば、サービスが得られる発生確率を『会員カード』と『非会員カード』とで変えて設定する。すなわち、発生確率を、『会員カード』の場合は１／２００、『非会員カード』の場合は１／４００などと設定して、『会員カード』の方が景品などのサービスが当たりやすくしたり、同じ『会員カード』でも、リチャージ回数５回のときは発生確率を１／５００、リチャージ回数１０回のときは発生確率を１／１００などとして、リチャージ回数が多くなるほど当たりやすくする。入金額の多少についても同様に発生確率を変える。
【００１９】
発生確率は、図１のシステムにおいて、中継装置１からのオンラインによるダウンロードによって設定することもできるし、読書装置３単体でも設定することができる。何れの設定においても、読書装置３にＩＣカードを挿入すると、読書装置３が、ＩＣカードのカードデータから会員／非会員のカード種別やリチャージ回数や入金額を読み取り、この情報を中継装置１に送信する。すると、中継装置１は、予め格納されているデータ毎の発生確率一覧表を参照して、それぞれの場合の発生確率を決定し、読書装置３に対して発生確率に基づくサービスの実行を指示する。発生確率は、一般には、リチャージ回数や入金額が多い程高くしてあり、例えばリチャージ回数ｎ回目の発生確率は１／Ｎ、他の例として総入金額（すなわち、リチャージ回数×入金額）＞規定金額、のときの発生確率は１／Ｎなどと決められている。
【００２０】
図５は、中継装置１が備える、会員／非会員カード毎の発生確率設定機能の一覧表である。同図において、ＯＮ／ＯＦＦスイッチは、それぞれの発生確率の設定機能を、ＯＮ（入力）したりＯＦＦ（遮断）したりするためのスイッチであり、ＯＮの場合はそれぞれの設定項目の設定内容を入力し、ＯＦＦの場合は設定項目に”０”を入力する。以下、幾つかの場合について、各設定項目を入力して発生確率を決定する例を説明する。
【００２１】
先ず、会員カード（Ａ）のときのみ発生確率を上げるように機能設定する場合は、中継装置１が備える演算用メモリＡに『発生確率』を設定して、メモリＢ，Ｃ，Ｄ，Ｅ，Ｆ，Ｇ，Ｈ，Ｉ，Ｊ，Ｋ，Ｌ＝０を設定する。これによって、会員カード（Ａ）のみが発生確率の設定機能を有し、会員カードのリチャージ回数（Ｂ１，Ｂ２…）、発生確率（１／Ｃ１，１／Ｃ２…）、総入金額（Ｄ）、リチャージ回数（Ｅ）、発生確率（１／Ｆ）及び非会員カード（Ｇ）、非会員カードのリチャージ回数（Ｈ１，Ｈ２…）、発生確率（１／Ｉ１，１／Ｉ２…）、総入金額（Ｊ）、リチャージ回数（Ｋ）、発生確率（１／Ｌ）については、発生確率の設定機能はスイッチオフされている。
【００２２】
次に、会員カード（Ａ）のとき発生確率を上げ、さらに、会員カード（Ａ）の総入金額（Ｄ）が規定値より多いときに発生確率を上げる場合は、Ａに『発生確率』を入力し、Ｄに『総入金額』を入力する。さらに、リチャージ回数のａｎｄ条件があれば、Ｅに『リチャージ回数』を入力する。例えば、総入金額１０万円、但しリチャージ回数３０回以上で発生確率を上げる場合なら、Ｄに『１００，０００円』を入力し、Ｅに『リチャージ３０回』を入力し、リチャージ回数が３０回以下ならばＥ＝０を入力する。また、Ｆに『発生確率』を入力する。それ以外は、Ｂ，Ｃ，Ｇ，Ｈ，Ｉ，Ｊ，Ｋ，Ｌ＝０を入力する。
【００２３】
また、会員カード（Ａ）、非会員カード（Ｇ）に関係なく、リチャージ回数が１０回目（以上）のときに発生確率を上げる場合は、Ａ＝０、Ｇ＝０を入力、Ｂ１に『リチャージ回数１０』、Ｈ１に『リチャージ回数１０』を入力、Ｃ１に『発生確率』を入力し、Ｉ１に『発生確率』を入力する。それ以外は、Ｄ，Ｅ，Ｆ，Ｊ，Ｋ，Ｌ＝０を入力する。
【００２４】
さらに、会員カード（Ａ）は、リチャージ回数５回目（以上）と１０回目（以上）のときのに２段階で発生確率を上げ、非会員カード（Ｇ）は、リチャージ回数１０回目（以上）と２０回目（以上）のときに２段階で発生確率を上げる場合は、Ｂ１に『リチャージ回数５』、Ｂ２に『リチャージ回数１０』を入力し、Ｈ１に『リチャージ回数１０』、Ｈ２に『リチャージ回数２０』を入力する。さらに、Ｃ１に『発生確率１』を、Ｃ２に『発生確率２』を、Ｉ１に『発生確率１』を、Ｉ２に『発生確率１』を、それぞれ入力する。そして、Ａ，Ｄ，Ｅ，Ｆ，Ｊ，Ｋ，Ｌ＝０を入力する。
【００２５】
また、会員カード（Ａ）のときはリチャージ回数５回で発生確率を高くし、さらに、総入金額が５万円（但し、リチャージ回数１０回以上）のときに発生確率を高くする場合は、Ｂ１に『リチャージ回数５』を入力し、Ｃ１に『発生確率１』を入力する。さらに、Ｄに『５０，０００円』を入力し、Ｅに『リチャージ回数１０』を入力し、Ｆに『発生確率２』を入力する。そして、Ａ，Ｇ，Ｈ，Ｉ，Ｊ，Ｋ，Ｌ＝０を入力する。
【００２６】
次に、本発明のＩＣカードの処理システムの第３の実施の形態における動作について説明する。この実施の形態は、ＩＣカードを挿入すると現金が返却されるようなシステムである。すなわち、ＩＣカードなどの有価証券の買い取り及び販売システムである。
先ず、ＩＣカードの買い取りシステムについて説明する。例えば、図１のシステムにおいて、１０，０００円分のＩＣカードを入金機４に挿入すると、買取率によって減額されて９，６００円の現金が返却される。買取率は、入金機４単体でローカルに設定することもできるし、中継装置１からのオンラインにより設定することもできる。また、買取率はＩＣカードの額面に応じて０〜１００％の範囲で任意の率に設定することができる。
【００２７】
また、満額券（すなわち、未使用券）だけの買い取りや、途中使用されている券の残額に応じた買い取りについて、入金機４でローカルに設定することもできるし、中継装置１からのオンラインで設定することもできる。さらに、返却現金の単位を『１万円』、『千円』、『百円』、『十円』、『１円』単位で行うことができるように設定できる。例えば、返却現金の単位が『百円』に設定されている場合は、『千円』券に対して９６０円（買取率９６％）であっても９００円に切り下げて返却する。また、９６０円の返却に対して『千円』に切り上げることも可能である。さらに、四捨五入して現金を返却することも可能である。これらの切り下げ、切り上げ、四捨五入は、入金機４単体でローカル設定することもできるし、中継装置１からのオンラインで設定することもできる。
【００２８】
さらに、買取率、満額券／使用途中券、返却金額単位、切り下げ／切り上げ／四捨五入は、券面額及び残高毎のカード種類に応じて設定を行うことも可能である。また、他店カード、自店カードに応じての返却設定も任意に行うことができる。
【００２９】
さらに、ＩＣカードを読書装置３や入金機４に挿入すると、カード情報やカード媒体特徴の真贋判定を行うこともできる。真贋判定は、オフライン時は入金機４単体でのチェックのみを実施し、不正カードの場合は入金システムの機能停止を行う。また、オンライン時は、入金機４単体でのチェック及び中継装置１でのチェックを行う。尚、オンライン時も入金機４単体だけのチェックのみで有効にすることも可能である。なお、真贋判定としては、入金機４において行うＩＣカードの形状、ＩＣカードに印刷されたバーコード等に基づくチェックがあり、中継装置１において行う中継装置１で記憶するＩＤと残高額とＩＣカードに記録されたＩＤと残高額の一致、不一致によるチェックがある。
【００３０】
次に、真贋判定でＯＫの場合は、額面に対して買取率を掛けて相当分の現金を返却する。また、途中使用券が許可されている場合は、残額分に買取率を掛けた現金を返却する。尚、カード券種毎の購入枚数、返却カードデータの額などの買い取りデータを入金機４に蓄積する。そして、必要に応じて、入金機４などのディスプレイに表示したり、プリンタで出力することも可能である。さらに、オンライン時に入金機４へのカード挿入時、カード情報及びカード媒体特徴データなどを中継装置１に送信し、中継装置１からのＯＫ信号を受信したときだけ現金を返却するようにすることも可能である。
【００３１】
また、真贋判定でＮＧの場合は、カード取り込み及びカード返却の２つのモード設定を行うことができる。設定は、入金機４でローカルに行うこともできるし、中継装置１によるオンライン設定にすることもできる。尚、中継装置１から予めＩＤナンバーが指定されているＩＣカードが挿入された場合は、不正カードと判断してカード取り込みかカード返却の何れかの動作を行うことができる。さらに、必要に応じて、ＮＧ情報を入金機４のディスプレイに表示したり、プリンタで出力することも可能である。尚、このときのＮＧ情報は中継装置１に送信する。また、ＮＧカードの場合、入金機４にエラー表示したり入金機４のパドランプを点灯することも可能である。
【００３２】
次に、ＩＣカードの販売システムについて説明する。このシステムでは、入金機４に現金を挿入するとＩＣカードが返却されるが、このときプレミアムが付いて、例えば、９，９００円の現金を入金機４に挿入すると１０，０００円のＩＣカードが返却される。このとき、プレミアムを付ける販売価格率は、入金機４単体でローカル設定することもできるし、中継装置１からのオンライン設定で行うこともできる。さらに、販売価格率は、額面に応じて、０〜１００％の範囲で任意の値に設定することができる。また、満額面だけの販売や途中使用されている券を含む販売を、入金機４単体でローカルに設定することもできるし、中継装置１からのオンラインで設定することもできる。
【００３３】
販売金額の単位は、『１万円』、『千円』、『百円』、『十円』、『１円』単位で行うことができるようにし、この設定は、入金機４単体でローカルに行うこともできるし、中継装置１からのオンラインで設定することもできる。さらに、販売率、満額券／使用途中券、販売金額単位は、カード種類に応じた任意の設定が可能である。また、買い取ったＩＣカードを入金機４内で販売に廻すことも可能である。さらに、販売時の現金を、入金機４内で買い取り時の現金に廻すことも可能である。また、ＩＣカード券種毎の販売枚数や販売額あるいはカードデータなどの販売データは入金機４に蓄積され、必要に応じて入金機４のディスプレイに表示したり、プリンタで出力することができる。また、オンライン時には、これらの販売データを中継装置１に送信する。
【００３４】
次に、会員カードの買い取り及び販売システムについて説明する。このシステムでは、会員のみがＩＣカードの買い取りや販売、若しくはこれらの両方を行うことができる。この場合、会員カードを入金機４に挿入し、若しくはパスワード入力（すなわち、会員ナンバー入力）などを行って、会員と判定された場合だけに、買い取り、販売、若しくはこれらの両方が行えるようにする。
また、他業種のプリペードカードや商品券なども、同時に買い取り、販売、若しくはこれらの両方が行えるようにする。
【００３５】
次に、第１の実施の形態において、ＩＣカードのリチャージ回数に応じてプレミアム額を決定する場合の、各装置の処理の流れをフロー図を用いて説明する。図６は、ＩＣカードに記録されている情報内容を示す図である。また、図７は、第１の実施の形態で、入金機がプレミアム額の付いたＩＣカードを排出する処理の流れを示すフロー図である。このフロー図は、中継装置１がプレミアム情報を持っている場合の処理の流れを示しているが、入金機４がプレミアム情報を持っていてもよい。
【００３６】
先ず、図７により入金機４の処理の流れを説明する。ＩＣカードには、最低限カードを特定するＩＤナンバーが記録されていればよいが、この例では、図６に示すようにＩＤナンバーの他に、会員／非会員、リチャージ回数、カード残高情報、プレミアム額などの情報が記録されている。そして、これらの情報が記録されたＩＣカードと所定の現金を入金機４に挿入すると（Ｓ１）、入金機４は、入金額と、図６に示すようなＩＣカードの情報（ＩＤ、リチャージ回数など）を読み取り（Ｓ２）、中継装置１にカードの正／不正のチェックを依頼するために、これらの情報を中継装置１に送信する（Ｓ３）。
【００３７】
中継装置１では、ＩＤナンバーに基づいてＩＣカードの正／不正をチェックすると共に、正当であれば、更新額、リチャージ回数、プレミアム額などの更新情報を入金機４に送信する。ここで、入金機４がカード情報の不正信号を受信した場合は（Ｓ４，ＮＯ）、挿入した現金とＩＣカードを返却して（Ｓ５）、終了する。一方、入金機４がカード信号の正当信号と更新情報を受信した場合は（Ｓ４、ＹＥＳ）、中継装置１からの更新情報に基づいて、ＩＣカードのカード情報（すなわち、更新額、リチャージ回数、プレミアム額など）の更新を行う（Ｓ６）。そして、情報が更新されたＩＣカードが使用者に返却されて（Ｓ７）、終了する。
【００３８】
次に、中継装置１の処理の流れを説明する。図８は、中継装置が保有するプレミアム条件を設定するために、中継装置が記憶している記憶情報の内容を示す図である。すなわち、カードＩＤナンバー毎に、リチャージ回数、個々の入金額と入金日時、入金総額、個々のプレミアム額、プレミアム総額及びカード残高などを記憶している。また、これらの記憶情報は決済情報としてセンタへ送信されて、センタに対して決済を依頼する。さらに、中継装置は図２に示すようなプレミアム額を決定するための情報を記憶している。図９は、第１の実施の形態で、入金機がプレミアム額の付いたＩＣカードを排出するときの、中継装置の処理の流れを示すフロー図である。
【００３９】
先ず、中継装置１は、入金機４よりカードのＩＤナンバー、入金額、カード残高、リチャージ回数を受信する（Ｓ１１）。そして、受信したＩＤナンバーに基づいて、中継装置１は図８に示すような自己の保有するデータベースを参照して、カード残高、リチャージ回数が正しいかどうかの判定を行う（Ｓ１２）。判定結果が正しくなければ（Ｓ１２、ＮＯ）、不正なカードと判断して、入金機４にエラー信号を送信し（Ｓ１３）、終了する。一方、判定結果が正当であれば（Ｓ１２、ＹＥＳ）、図２に示すような中継装置の記憶内容を参照して、プレミアム条件に基づくプレミアム額を決定する（Ｓ１４）。さらに、入金機４からの情報に基づいて、カード残高、リチャージ回数を決定する。リチャージ回数は１回の入金によるカード使用に対して”１”を加算する（Ｓ１５）。そして、これらの決定情報に基づいて、カード残高、プレミアム額、リチャージ回数を入金機４に送信する（Ｓ１６）。さらに、中継装置１は、自身のデータベースの内容を更新して（Ｓ１７）、終了する。
【００４０】
尚、前述のフローでは、中継装置１でプレミアム額を決定したが、入金機４でプレミアム額を決定することもできる。また、図７、図９のフロー図では、第１の実施の形態の、リチャージ回数に応じてプレミアム額を決定する場合を例として説明した。第２の実施の形態のくじなどの当たる確率を変える場合については、読書装置３が、ＩＣカードのデータから会員／非会員のカード種別やリチャージ回数や入金額を読み取り、これを中継装置１に送信する。そして、中継装置１がデータ毎の発生確率一覧表から発生確率を決定し、読書装置３に対して発生確率に基づく無料サービスの実行を指示する。したがって、フロー図よる説明を必要とする内容ではないのでこれを省略する。
【００４１】
以上述べた実施の形態は本発明を説明するための一例であり、本発明は、上記の実施の形態に限定されるものではなく、発明の要旨の範囲で種々の変形が可能である。例えば、上記の実施の形態では、情報記録カードとしてＩＣカードを用いて説明したが、十分な記録容量を有するのであれば、これ以外に、光カードや光磁気カードなどを用いても本発明を適用できることは云うまでもない。また、上記の実施の形態では、ゲームセンタなどの遊興施設を例に挙げて説明したが、デパート、スーパ、小売店、などでも適用できるし、銀行などのＡＴＭ装置にも応用することができる。また、プレミアム額の決定方法や、無料サービスなどが当たる発生確率を設定する方法は、上記の実施の形態以外に様々な方法が考えられる。
【００４２】
【発明の効果】
以上説明したように、本発明によるプリペードカードの情報処理システムによれば、カード媒体の余った記憶容量を有効に利用して、プレミアム情報や、くじの当る発生確率情報などの付帯情報として使用することにより、プリペイドカードの再利用を誘導するようなカード形態にしたことを特徴としている。すなわち、プリペイドカードの再利用回数によって増加してゆくようなプレミアム額の情報や、カード種別や再利用回数や入金額などによって、景品などのサービスの当たる確率を変えてゆく情報などを、プリペイドカードの余った記憶容量に記録させ、これらの情報を、プリペイドカード使用時に利用者が有効に活用できるようにしたものである。
【００４３】
このようなカード形態によって、利用者は、ごく自然に、プリペイドカードを何度も更新して使用するようになる。したがって、カード媒体の単価が高いＩＣカードや光カードなどであっても、同じカードを何度も更新して再利用するので、見かけ上のカードコストを大幅に低減させることができるし、当然、資源の節約にも繋がる。また、プリペイドカードとしての利用形態の応用範囲も広がり、サービス提供施設内において電子マネー的な使い方として広く普及することが期待できる。
【図面の簡単な説明】
【図１】本発明の実施の形態に適用される、ＩＣカードの処理システムの構成図である。
【図２】リチャージ回数とプレミアム額との関係の一例を示す図である。
【図３】本発明の第１の実施の形態において、プレミアム額をカード発行会社（センタ）が負担する場合の概念図である。
【図４】本発明の第１の実施の形態において、プレミアム額をサービス提供施設が負担する場合の概念図である。
【図５】本発明の第２の実施の形態において、中継装置が備える、会員／非会員カード毎の発生確率設定機能の一覧を表す図である。
【図６】第１の実施の形態の場合の、ＩＣカードに記録されている情報内容を示す図である。
【図７】第１の実施の形態で、プレミアム額の付いたＩＣカードを排出する処理の流れを示す、入金機のフロー図である。
【図８】第１の実施の形態において、中継装置が保有するプレミアム条件を設定するために、中継装置が記憶している記憶情報の内容を示す図である。
【図９】第１の実施の形態で、入金機がプレミアム額の付いたＩＣカードを排出するときの、中継装置の処理の流れを示すフロー図である。
【符号の説明】
１…中継装置、２…カード発券機、３…読書装置、４…入金機、５…残高ゼロのＩＣカード、６…現金１０，０００円、７…プレミアム額のついた１０，５００円のＩＣカード、８…遊具
【図１】
0003588003.tif 000002
【図２】
0003588003.tif 000003
【図３】
0003588003.tif 000004
【図４】
0003588003.tif 000005
【図５】
0003588003.tif 000006
【図６】
0003588003.tif 000007
【図７】
0003588003.tif 000008
【図８】
0003588003.tif 000009
【図９】
0003588003.tif 000010